(57)【要約】【課題】  金券発行会社に対する請求データを効率的に生成処理し、不正金券の使用防止を図るようにした金券の請求データ生成システムを提供する。【解決手段】  金券情報読取装置が接続された通信端末と、前記通信端末と通信可能に接続された管理サーバとを備え、前記金券情報読取装置は、金券の管理情報読取手段を有し、前記通信端末は、入力手段と、入力された商店ＩＤとパスワードと、管理情報とを管理サーバに送信する手段を有し、前記管理サーバは、商店情報データベースと、受信した商店ＩＤ及びパスワードと商店情報データベースの登録情報とを照合する第１の照合手段と、金券管理情報データベースと、第１の照合手段による照合一致した場合に、受信した管理情報と、金券管理情報データベースの登録情報とを照合する第２の照合手段と、照合一致した場合に金券の請求データを生成する請求データ生成手段とを備えている。【選択図】        図１
2005085066.tif 000002
【特許請求の範囲】
【請求項１】
商店街の各商店の事業者が共同で利用できる施設に設置され、金券情報読取装置が接続された通信端末と、前記通信端末と通信回線を介して通信可能に接続された管理サーバとにより、各商店において顧客から受け取った金券に対する金券発行会社への請求データを生成する金券の請求データ生成システムであって、
前記金券情報読取装置は、前記金券に表示された管理情報を読み取る管理情報読取手段を有し、
前記通信端末は、各商店を特定可能な商店ＩＤとパスワードとを入力する入力手段と、前記入力手段で入力された商店ＩＤとパスワードと、前記金券情報読取装置で読み取られた管理情報とを前記管理サーバに送信する手段を有し、
前記管理サーバは、予め商店ＩＤ及びパスワードと関連付けられて商店属性情報が登録されている商店情報データベースと、前記通信端末から受信した商店ＩＤ及びパスワードと、前記商店情報データベースに登録されている商店ＩＤ及びパスワードとを照合する第１の照合手段と、予め金券の発行会社毎に、発行された金券に表示された管理情報と該金券の発行会社情報とが関連付けられて登録された金券管理情報データベースと、前記第１の照合手段による照合結果が一致した場合に、前記通信端末から受信した管理情報と、前記金券管理情報データベースに登録された管理情報とを照合する第２の照合手段と、前記第２の照合手段による照合結果が一致した場合に、前記管理情報と関連付けられて登録された発行会社情報と、前記商店情報データベースに登録されている商店属性情報とに基づいて、金券の請求データを生成する請求データ生成手段とを備えたことを特徴とする金券の請求データ生成システム。
【請求項２】
前記金券情報読取装置には、前記金券が保有する金券特性情報を読み取る金券特性情報読取手段を有し、前記管理サーバには、照合用の金券特性情報が予め登録された金券特性情報データベースと、前記通信手段で通信端末から受信した金券特性情報を前記金券特性情報データベースに登録された照合用の金券特性情報と照合する照合手段とを備えたことを特徴とする請求項１記載の金券の請求データ生成システム。
【発明の詳細な説明】
【技術分野】
【０００１】
本発明は、商店街の各商店が顧客から受け取った金券について、金券発行会社への請求データを生成するための金券の請求データ生成システムに関する。
【背景技術】
【０００２】
従来、例えば、商品券、ギフトカード、旅行券、食事券、ビール券、アイスクリーム券、図書券、文具券、など金銭的な価値を有する種々の金券が多種類発行され、様々な用途に使用されている。
【０００３】
これらの金券は、贈答用やプレゼントとして使用されたりすることも多いことから、利用者にとって、広範囲に、どこの商店でも共通して使用できることが便利であり好ましい。
【０００４】
例えば、ビール券は、どこの商店街の酒店でも、デパートの酒売場でも使用することができるが、商品券では、その商品券を発行するデパートだけでしか使用できないような自社発行の金券もあり、各金券毎に取り扱える商店が異なる。
【０００５】
特定のデパートだけで使用するための自社発行による金券の場合には、顧客から代金の代わりに商品券を受け取ったとしても、発行された商品券を回収したことをデータ処理するだけでよいが、商店街の商店において、顧客から代金の代わりに商品券を受け取った場合には、その商店で受け取った商品券を所定の会社や機関などに送付するなどして、その商品券と引き換えに金銭を入手する手続きを行なうことで、代金の回収をする必要がある。
【０００６】
例えば、商店街の商店の経営は、個人事業者が多く、取扱う商品券の種類が多い商店では、種々の商品券を入手する機会も多くなり、入手した種々の金券を換金するための請求処理などに手間や時間がかかるという問題がある。
【０００７】
従来の金券処理システムにおいて、金券類の券番号を読み取って、予め登録されている券番号と照合することで、金券類の回収処理や真偽判別を行うシステムが既に公知となっているが、種類の異なる金券を回収処理して、代金精算の請求データを生成するという技術はない。（例えば、特許文献１参照）
【特許文献１】特開平１０−３４０３６８号公報  また、商店街の商店で金券が使用された際に、その金券が本物の金券であるのか、または偽造や変造された不正金券であるのか、などの真偽判定を行うことは、偽造技術や変造技術がより精巧化していることからも非常に困難であるのが現状である。
【０００８】
しかしながら、偽造や変造された不正金券が使用された場合には、少しでも早く不正金券が発見された事実を確認し、不正金券の取り締まりを行ったり、金券の取り扱い店に対して、注意事項の連絡を行わないと２次被害などの被害の拡大が起こる危険性がある。
【発明の開示】
【発明が解決しようとする課題】
【０００９】
本発明は、商店街の商店において顧客から受け取った金券について、その金券の発行会社に対する代金請求データを効率的に生成処理できるようにして、事務処理の効率化を図ると共に、回収された金券が変造や偽造された不正な金券で有るか否かを確認できるようにして、不正な金券の使用の防止を図るようにした金券の請求データ生成システムを提供する。
【課題を解決するための手段】
【００１０】
本発明の金券の請求データ生成システムは、商店街の各商店の事業者が共同で利用できる施設に設置され、金券情報読取装置が接続された通信端末と、前記通信端末と通信回線を介して通信可能に接続された管理サーバとにより、各商店において顧客から受け取った金券に対する金券発行会社への請求データを生成する金券の請求データ生成システムであって、前記金券情報読取装置は、前記金券に表示された管理情報を読み取る管理情報読取手段を有し、前記通信端末は、各商店を特定可能な商店ＩＤとパスワードとを入力する入力手段と、前記入力手段で入力された商店ＩＤとパスワードと、前記金券情報読取装置で読み取られた管理情報とを前記管理サーバに送信する手段を有し、前記管理サーバは、予め商店ＩＤ及びパスワードと関連付けられて商店属性情報が登録されている商店情報データベースと、前記通信端末から受信した商店ＩＤ及びパスワードと、前記商店情報データベースに登録されている商店ＩＤ及びパスワードとを照合する第１の照合手段と、予め金券の発行会社毎に、発行された金券に表示された管理情報と該金券の発行会社情報とが関連付けられて登録された金券管理情報データベースと、前記第１の照合手段による照合結果が一致した場合に、前記通信端末から受信した管理情報と、前記金券管理情報データベースに登録された管理情報とを照合する第２の照合手段と、前記第２の照合手段による照合結果が一致した場合に、前記管理情報と関連付けられて登録された発行会社情報と、前記商店情報データベースに登録されている商店属性情報とに基づいて、金券の請求データを生成する請求データ生成手段とを備えたことを特徴とする。
【００１１】
また、本発明の金券の請求データ生成システムは、前記金券情報読取装置には、前記金券が保有する金券特性情報を読み取る金券特性情報読取手段を有し、前記管理サーバには、照合用の金券特性情報が予め登録された金券特性情報データベースと、前記通信手段で通信端末から受信した金券特性情報を前記金券特性情報データベースに登録された照合用の金券特性情報と照合する照合手段とを備えたことを特徴とする。
【発明の効果】
【００１２】
以上説明したように、本発明の金券の請求データ生成システムは、商店街の各商店の事業者が共同で利用できる施設に、金券情報読取装置が接続された通信端末が備えられているので、各商店で商品券が使用された場合でも、その事業者が通信端末を利用して金券の請求データを生成することができるという効果がある。
【００１３】
また、更に、回収された金券に対する真贋判定も、管理サーバの金券特性情報データベースに基づいて照合判定することができるので、偽造金券などの不正な商品券が使用された場合でも、直ぐに２次被害を防止するための対応を行うことができるという効果がある。
【発明を実施するための最良の形態】
【００１４】
以下、本発明の実施の形態を図面に基づいて詳細に説明する。
【００１５】
図１は、本発明の実施形態に係る金券の請求データ生成システムの概要を説明する図、図２は、本発明の実施形態に係る金券の請求データ生成システムの構成を説明する図、図３は、商品券の一例の平面図、図４は、本発明の実施形態に係る金券の請求データ処理システムのシステムブロック図、図５は、本発明の実施形態に係る金券の請求データ生成システムの処理手順を示すフローチャートである。
【００１６】
まず、本発明の実施形態に係る金券の請求データ生成システムの概要を図１及び図２に基づいて説明する。
【００１７】
まず、図１に示すように、複数の商店１、例えば、酒店１ａ、書店１ｂ、文房具店１ｃなどがあるＡ商店街には、それらの各商店の事業者が加入するＡ商店街組合があり、組合活動の事務などを行うＡ商店街の組合事務所２ａが設けられている。
【００１８】
また、飲食店１ｄ、食料品店１ｅ、電気店１ｆなどがあるＢ商店街には、それらの各商店の事業者が加入するＢ商店街組合があり、組合活動の事務などを行うＢ商店街の組合事務所２ｂが設けられている。
【００１９】
通常、各商店が取り扱う金券の種類は、商店毎の取扱い商品などによって異なっていたり、また、一つの商店で複数種類の金券を取り扱う場合もあるが、各商店において顧客から受け取った種々の金券は、その商店が加盟するこれらの組合事務所２に持参することで、それらの金券に対する現金化の請求処理を行えるようにしてある。
【００２０】
また、商店が顧客から受け取った金券に対する請求データの生成処理などを一元化して行う管理センター３が備えられ、この管理センター３には管理サーバ８が設置され、通信回線４を介して組合事務所２に設けられた通信端末７と通信可能に接続されている。
【００２１】
したがって、個々の商店には、通信端末などの機器を設ける必要がなく、事業者が組合事務所に金券を持参することで処理できるので、個々の商店にできるだけ設備コストをかけないですむようにしてある。
【００２２】
このために、従来、請求処理などに手間などがかかることなどから、金券の取扱いを行わなかった商店でも、気軽に金券の取扱いを行えるようにしてある。
【００２３】
更に、管理センター３の管理サーバは、通信回線４を介して各金券の精算処理の請求先５である発行会社の通信端末と通信可能に接続されていて、管理サーバで生成された各商店における金券の請求データを送信して、金融機関での振込処理などによる精算処理が行えるようにシステム化されている。
【００２４】
図２には、組合事務所２に設けられ、金券情報読取装置６が接続された通信端末７と、管理センター３に設置された管理サーバ８と、請求先５に設けられた通信端末９とが、通信回線４を介して通信可能に接続された構成が示されている。
【００２５】
組合事務所２に設けられた金券情報読取装置６は、商店の事業者が持参した金券１０に表示された、図３に示すような管理番号等の管理情報１０ａや画像１０ｂを読み取るための装置であり、この金券情報読取装置３で読み取られた情報が、通信端末７により通信回線４を介して、管理センター３の管理サーバ８へ送信できるようにしてある。
【００２６】
次に、本発明の実施形態に係る金券の請求データ生成システムのシステム構成を図４に基づいて説明する。
【００２７】
組合事務所１に設置されている金券情報読取装置６には、金券１０に表示された管理番号等の管理情報１０ａを読み取る管理情報読取手段１１と、金券が保有する金券特性情報である画像１０ｂを読み取るための画像読取手段１２とが備えられている。
【００２８】
金券１０に表示された管理番号等の管理情報１０ａは、例えばバーコード、ＯＣＲ等の機械読み取りが可能な状態で金券に表示されており、管理情報読取手段１１は、これらの表示に対応して管理情報を入力できる機能を有する。
【００２９】
また、画像読取手段１２は、金券の表面又は裏面に表示されている所定領域の画像をイメージデータとして読み取るイメージスキャナとしての機能を有している。
【００３０】
このイメージスキャナで読み取る金券の領域は、金券の表面又は裏面の全体でもよいし、また予め定めた一部または複数部分の所定領域でもよい。
【００３１】
また金券情報読取装置６は、金券が保有する金券特性情報を読み取る機能を有する手段であれば、画像読取手段１２に限定されるものではない。
【００３２】
現在市場に出回っている金券は、例えば、商品券、ギフトカード、旅行券、食事券、ビール券、アイスクリーム券、図書券、文具券、など多数の種類が発行され、金券の種類や発行者毎に異なるデザインを有している。
【００３３】
このため、各金券の表面又は裏面の予め定めた所定の領域を、画像読取手段１２により画像イメージデータとして読み取ることで、読み取った画像イメージデータを真贋判定の判断用データとして用いる。
【００３４】
また、金券情報読取装置６には、画像読取手段１２と共に、または画像読取手段１２に代えて、金券が保有する金券特性情報を読み取ることが可能なその他の機能を有する手段を設けてもよく、その他の機能を有する手段としては、赤外線や紫外線を照射したり、光透過率を計測したりする機能を有する手段などがある。
【００３５】
また、金券情報読取装置６が接続された通信端末７には、ディスプレイ等の表示手段１３、キーボード等の入力手段１４、通信手段１５、制御手段１６、記憶手段１７とが備えられ、通信手段１５によりインターネット等の通信回線４を介して管理センター３に設置されている管理サーバ８と通信可能に接続されている。
【００３６】
通信回線４を介して通信端末７と通信可能に接続された管理サーバ８には、通信手段１８、商店情報データベース１９、金券管理情報データベース２０、金券特性情報データベース２１、第１の照合手段２２、第２の照合手段２３、請求データ生成手段２４、記憶手段２５、制御手段２６などが備えられている。
【００３７】
商店情報データベース１９には、商店名、所在住所、商店ＩＤ、パスワードなどの商店属性情報が予め登録されている。
【００３８】
金券管理情報データベース２０には、予め金券の発行会社毎に、発行された金券に表示された管理情報１０ａと該金券の発行会社とが関連付けられて登録され、通信回線４を介して組合事務所２の通信端末７から送られてきた金券１０の管理情報との照合による回収金券のデータ消し込みと、請求データの集計処理が行なわれる際に使用される。
【００３９】
金券特性情報データベース２１には、通信回線４を介して組合事務所２の通信端末７から送られてきた画像イメージデータと照合するための、照合用の画像イメージデータが予め登録されている。
【００４０】
金券特性情報データベース２１に登録される金券特性情報としては、照合用の画像イメージデータに限定されず、金券情報読取装置６で金券が保有する種々の金券特性情報に対応した照合用の情報を予め登録させておけばよいものである。
【００４１】
第１の照合手段２２は、組合事務所２の通信端末７から送信され、通信回線４を介して受信した商店ＩＤ及びパスワードと、管理サーバ８の商店情報データベースに登録されている商店ＩＤ及びパスワードとを照合する機能を有している。
【００４２】
また、第２の照合手段２３は、前記第１の照合手段による照合結果が一致したことを条件に、通信回線４を介して組合事務所２の通信端末７から送られてきた金券の表面又は裏面の全体的な画像イメージデータを通信手段１８で受信した後、この画像イメージデータの中から予め定めた所定領域の部分と、金券特性情報データベース２１に登録されている照合用の画像イメージデータとを照合する機能を有している。
【００４３】
請求データ生成手段２４は、第２の照合手段２３による照合結果が一致した場合に、管理情報と関連付けられて登録された発行会社情報と、商店情報データベース１９に登録されている商店属性情報とに基づいて、金券の請求データを生成する機能を有している。
【００４４】
また、記憶手段２５には、制御プログラムなどが格納されていて、この制御プログラムにより第２の照合手段２３により照合する領域を特定したり、また照合方法を定めるようにすることができる。
【００４５】
例えば、組合事務所２の通信端末７から送られてきた金券の全体的な画像イメージデータの中から、金券の種類に応じて、最も照合に適する領域を選択して、各金券毎に異なる領域における照合を行なったり、また赤外線や紫外線の照射による情報や、光透過率などの計測情報を照合情報として用いるなどの選択を記憶手段２５に格納されて制御プログラムで定めることができ、種々の金券への適切な対応を行なうことができるようにしてある。
【００４６】
また、制御手段２６は、記憶手段２５に格納された制御プログラムに基づいて制御される。
【００４７】
また、金券精算の請求を行う請求先５である金券の発行会社に備えられている通信端末９には、ディスプレイ等の表示手段２７、キーボード等の入力手段２８、通信手段２９、制御手段３０、記憶手段３１とが備えられ、通信手段２９により通信回線４を介して管理サーバ８と通信可能に接続されている。
【００４８】
次に、本発明の実施形態に係る金券の請求データ生成システムの処理手順を、図５に示すフローチャートに基づいて説明する。
【００４９】
まず、商店の事業者は、顧客から受け取った商品券などの金券１０を組合事務所２に持参して、金券情報読取装置３にセットする。（ステップＳ１）
そして、通信端末７の入力手段１７から商店ＩＤ及びパスワードを入力すると共に、これらの情報を、通信回線４を介して管理センター３の管理サーバ８に送信する。（ステップＳ２）
管理サーバ８では、第１の照合手段２２により、受信した商店ＩＤ及びパスワードと、予め商店情報データベース１９に登録されている商店ＩＤ及びパスワードとの照合処理を行う。（ステップＳ３）
この照合処理の結果が一致した場合には、管理サーバ８から通信端末７に対して認証確認情報が送信される。（ステップＳ４）
そして、認証確認情報を受信した通信端末７は、金券情報読取装置３にセットされている金券１０の表面に表示されている画像に対してスキャンして、画像イメージデータを金券特性情報としてこれを読み取ると共に、管理情報読取手段１１により、金券１０に表示された管理番号等の管理情報１０ａを読み取る。（ステップＳ５）
次に、通信端末７から通信回線４を介して管理センター３の管理サーバ８に、金券情報読取装置６で読み取られた画像イメージデータと管理情報を送信する。（ステップＳ６）
そして、画像イメージデータと管理情報を受信した管理サーバ８は、まず金券特性情報データベース２１に登録されている照合用の画像イメージデータの中から、受信した画像イメージデータの金券の種類に対応した画像イメージデータの選択及び抽出を行なった後、第２の照合手段２３により金券特性情報データベース２１に登録されている照合用の画像イメージデータと受信した画像イメージデータとの照合処理を行なう。（ステップＳ７）
第２の照合手段２３による照合処理の結果が一致となった場合に、金券情報読取装置６にセットされた金券１０が本物であるとの判定の真贋判定情報が、管理サーバ８の通信手段１８から通信回線４を介して組合事務所２の通信端末７に送信される。（ステップＳ８）
これに対して、照合手段２３による照合処理の結果が不一致となった場合には、金券情報読取装置６にセットされた金券１０が偽物であるとの判定の真贋判定情報が、管理サーバ８から通信回線４を介して組合事務所２の通信端末７に送信される。（ステップＳ９）
そして、この真贋判定情報を受信した通信端末７は、ディスプレイ等の表示手段１３に表示される。
【００５０】
また、この際に真贋判定が偽物であるとの判定であった場合には、表示手段１３にこれらの真贋判定情報を表示する。
【００５１】
これにより、偽造や変造などされた不正金券が出回っていて、気を付けるように組合事務所２から商店街の各商店に通知するなどして、注意を促すことで被害の拡大を防止することができる。
【００５２】
また、第１の照合手段２３による照合処理の結果が一致となった場合には、通信端末７から受信した金券の管理情報に基づいて、金券管理情報データベース２０に登録されている管理情報の中から一致する管理情報に該当する金券発行会社情報を抽出して、請求データ生成手段２４により請求情報の生成処理を行ない、これらの請求データを金券管理情報データベース２０に記憶させておく。（ステップＳ１０）
また、金券管理情報データベース２０に自社が発行した金券に対する回収情報つまり消し込み処理なども行なう。
【００５３】
そして、毎月毎に所定の締め切り期日に、その一ヶ月間における金券発行会社毎の請求データが、管理サーバ８から通信回線４を介して請求先５に設けられている通信端末９に送信される。（ステップＳ１１）
また、ステップＳ３における照合処理で不一致となった場合には、管理サーバ８から通信端末７に対して認証未確認情報が送信される。（ステップＳ１２）
【産業上の利用可能性】
【００５４】
本発明に係る金券の請求データ生成システムは、金券を扱う商店街などで用いることができる。
【図面の簡単な説明】
【００５５】
【図１】本発明の実施形態に係る金券の請求データ生成システムの概要を説明する図である。
【図２】本発明の実施形態に係る金券の請求データ生成システムの構成を説明する図である。
【図３】商品券の一例の平面図である。
【図４】本発明の実施形態に係る金券の請求データ処理システムのシステムブロック図である。
【図５】本発明の実施形態に係る金券の請求データ生成システムの処理手順を示すフローチャートである。
【符号の説明】
【００５６】
１  商店
２  組合事務所
３  管理センター
４  通信回線
５  請求先
６  金券情報読取装置
７，９  通信端末
８  管理サーバ
１０  金券
１０ａ  管理情報
１０ｂ  画像
１１  管理情報読取手段
１２  画像読取手段
１３，２７  表示手段
１４，２８  入力手段
１５，１８，２９  通信手段
１６，２６，３０  制御手段
１７，２５，３１  記憶手段
１９  商店情報データベース
２０  金券管理情報データベース
２１  金券特性情報データベース
２２  第１の照合手段
２３  第２の照合手段
２４  請求データ生成手段
【図１】
2005085066.tif 000003
【図２】
2005085066.tif 000004
【図３】
2005085066.tif 000005
【図４】
2005085066.tif 000006
【図５】
2005085066.tif 000007